(57)【要約】【課題】  釣竿の穂先の先端に回転体のある従来の回転穂先においては、釣り始める際に、竿の張りの強さなどの調子が一種類だけしか選定使用できないために、釣れる魚の大きさや川の流速などの急な状況変化に全く対応できないことを根本的に解決するのを課題としている。【解決手段】  釣竿の穂先の複数箇所に回転体２を設ける手段を採用した。【選択図】図２
2006288359.tif 000002
【特許請求の範囲】
【請求項１】
釣竿の穂先１に、先端部の回転体２を含め、複数箇所に回転体２を設けることを特徴とする回転穂先を有する釣竿。
【請求項２】
回転部内径Ｒの円孔を有する薄肉の基管体６の左端部と右端部の外側が太くなっていて、中間に円筒管部１１があり、当該円筒管部１１の外径より僅かに大きい内径を有する回転体２が挿入された構造の中間回転部５を釣竿の穂先の一箇所以上に配する構成を採用することを特徴とする請求項１記載の釣竿。
【発明の詳細な説明】
【技術分野】
【０００１】  本発明は、釣竿の構造に関するもので、特に鮎釣りを中心とする渓流釣り用などの釣竿の回転穂先の新規の構成に関するものである。
【技術背景】
【０００２】  従来の鮎竿などの渓流竿においては、例えば特許文献１に図１に示すような回転穂先の側断面図が開示されているが、図１において釣竿の穂先１の先端部に取り付けられた一箇所の回転体２の溝３に釣り糸を結んで使用することによって、竿への釣り糸の絡みを防止すると同時に釣り糸を竿に直結するために竿感度を向上できるなどの効果を有する構成となっている。
【特許文献１】  特開平１１−２７６０２５
【発明の開示】
【発明が解決しようとする課題】
【０００３】  然しながら、このような釣竿においては、釣り始める際に、使用した竿の穂先が一種類たけしか選定使用できないために、釣れる魚の大きさや川の流れ速さなどの急な状況変化に全く対応できない。例えば鮎釣りにおいては、トロ場や荒瀬を短時間に釣らなければならないことがしばしばあり、一般にトロ場においては、軟らかい穗先、荒瀬においては硬い穂先、或いは早く泳がせる方が掛かりが良い場合には軟らかい穂先、止める方が掛かる場合には硬い穂先が向いているなどの現象があるが、従来の釣竿では、この変化に対して予備の穗先に変えることによって対応することは可能なのではあるが、著しく手間と時間のかかることなどから急な状況変化に対して、実釣においては、全く採用できず、フィールドで穂先の調子が合わないのを知りながら、やむおえず一種類の穂先で釣っているのが実状であることから、この問題点を解決するのを課題としている。
【課題を解決するための手段】
【０００４】  前記課題を解決するために、従来の釣竿の穂先の回転体が先端部の一箇所だけではなく、穂先の複数箇所に設け、釣り場の状況に応じて任意の回転体に釣り糸を結ぶことによって自由に釣竿の調子を変えることを可能にする手段を採用した。
【発明の効果】
【０００５】  穂先の複数箇所に回転体を設ける手段を採用したことから、任意の位置の回転体に極めて簡単に釣り糸を結んで釣ることが可能になって釣竿の調子を容易に変換することができ、従来の急な状況変化に全く対応できず、穂先の調子が合わないのを知りながら、やむおえず一種類の穂先だけで釣っていることが無くなって、最適の竿調子で常に釣る事が可能となり、釣味と釣果の著しい向上を図れるなどの大きな効果を奏する。
【発明を実施するための最良の形態】
【０００６】  図２は本発明における一実施形態を示す側断面図であるが、釣竿の穂先１に従来タイプの先端回転部４とその内側に中間回転部５を設けた構成であり、釣場の状況に応じて二ヶ所ある回転体２の溝３のどちらかに釣り糸を結んで使用することによって、常により適正な竿調子を得ることが可能になる。【０００７】  中間回転部５の構成は、例えば図３の側断面図がその一例であるが、中心に回転部内径Ｒの円孔の有る薄肉の基管体６の左端部外側に、左方向に進むに従って細くなる円錐状の基管テーパ部９を有し、右方向に進むと段状に急に細くなって円筒管部１１があり、右端部にネジ８が切ってあり、右端部から円筒管部１１の外径より僅かに大きい内径を有する回転体２を挿入してから、内側に雌のネジ８の切ってある係止管７を基管体６の右端部の雄のネジにねじ込むことによって回転体２の抜け出しを確実に防止する構成になっており、回転体２の左端面にも回転体テーパ部１０を有し、前記の基管体６の基管テーパ部９と相まって、振り出し釣竿の場合において伸ばした竿の収納時に穂先の外側の竿部品端部の当り割れを防止できる。なお、前記実施例においては、円錐状の基管テーパ部９と回転体テーパ部１０を設けているが、この形状に限定されるものではなく、例えば角部を円弧状にカットした構造でもよく、また円筒管部１１の右端部に係止管７でネジ固定しているが、接着剤或いは溶接などで固定する方法、或いはそれらを組み合わせる方法、または端部をかしめる方法などを採用してもよく、いずれにしても回転体２の抜け出しを確実に防止できる従来法が採用でき、また使用する材質は、ＳＵＳなどの金属製が適性が高いが、プラスチック成形品なども使用可能である。【０００８】  図３の中間回転部５の回転部内径Ｒを変えて穂先１に入れて滑らせて移動させることによって、穂先１の任意の位置に固定することが可能になるが、その際に、中間回転部５と穂先１とは接着剤などで固着してもよく、或いは、固着しない状態で使用しても差し支えない。【０００９】  実際に使用する場合において、例えば鮎釣りでは、一般に荒瀬を釣る場合や大型鮎の釣れる場合などには、穂先の先端太さ径が２ｍｍ以上を使用し、通常の早瀬、チャラ瀬などの場合は１．５ｍｍ内外を使用し、そして最新釣法においてはソリッド穂先と一般に言われている穂先においては先端径が０．９ｍｍ内外のものが使用され始めているなど現在は多様な釣り方が実施されているが、本発明の方法に従えば、例えば、穂先の先端に０．８ｍｍ径のソリッドタイプの回転穂先を使用し、中間回転部５の回転部内径Ｒに１．７ｍｍと２．２ｍｍの二種を選んで挿入固定することによって、任意の回転部内径Ｒの回転体に釣り糸を極めて短時間で結ぶことが可能となり、実質的に０．８ｍｍ、１．７ｍｍ、２．２ｍｍの三種類の先端径の回転穂先を自由に直ちに選択使用が可能となることから、全ての釣り方に極めて簡単に対応可能となる。
【産業上の利用可能性】
【００１０】  本発明の方法によれば、穂先の複数箇所に回転体を設ける手段を採用したことによって、釣竿の調子を容易に変換することができ、簡単な構成で安価に多機能性を付与でき、最適の竿調子で常に釣る事が可能となるなどの利点が多く産業上の利用可能性は大きい。
【図面の簡単な説明】
【００１１】
【図１】従来法に係る穂先の先端部だけに回転体のある回転穂先の側断面図である。
【図２】本発明に係る穂先の二箇所に回転体を設けた回転穂先の側断面図である。
【図３】本発明に係る中間回転部の構成の一例を示す側断面図である。
【符号の説明】
【００１２】１    穂先                    ２    回転体                  ３    溝
４    先端回転部              ５    中間回転部              ６    基管体
７    係止管                  ８    ネジ                    ９    基管テーパ部
１０  回転体テーパ部          １１  円筒管部                Ｒ    回転部内径
【図１】
2006288359.tif 000003
【図２】
2006288359.tif 000004
【図３】
2006288359.tif 000005